(57)【要約】【課題】  本発明は、髪の毛、鋸屑や石粉等が靴紐に付着したり、靴紐間に入り込むことを防止すること、また、必要時にのみ靴紐のカバーができ、その装着及び交換を簡単に行うことが可能であること、且つ靴の大きさにより容易にその大きさに合ったカバー材を得ることができるものである。更に、軽量で屈曲性がよく歩行感に優れ、また、一足の靴で様々なカバー材を簡単に着脱自在に装着することができるので様々なパターンを楽しむことができ、ファッション性の高い、安価でオリジナルなカバー材を提供するものである。【解決手段】  先端部を湾曲形成し全体が靴の甲にほぼ一致する形状を有し、該先端部に靴紐との取着手段を設け、付け根部にはその左右両端部に靴紐挿通孔を形成してなることを特徴とする靴紐保護カバー。【選択図】            図１
2005040524.tif 000002
【特許請求の範囲】
【請求項１】
先端部を湾曲形成し全体が靴の甲にほぼ一致する形状を有し、該先端部に靴紐との取着手段を設け、付け根部にはその左右両端部に靴紐挿通孔を形成してなることを特徴とする靴紐保護カバー。
【請求項２】
表裏面のいずれかに、表裏面方向に対して折れ曲がりのための薄肉部を形成したことを特徴とする請求項１に記載の靴紐保護カバー。
【請求項３】
先端部にはその表裏面のいずれかに甲の大きさを選択する目印を表示し、該目印として切断線を表記又は切断溝を形成してなることを特徴とする請求項１又は２に記載の靴紐保護カバー。
【請求項４】
取着手段を先端部裏面側或いは先端部端縁に装着してなることを特徴とする請求項１ないし３のいずれかに記載の靴紐保護カバー。
【請求項５】
先端部から付け根部にわたる裏面側に、複数個の引っ掛け部を形成し、該引っ掛け部には靴紐との取り付け位置に応じて取着手段を着脱自在に装着してなることを特徴とする請求項１ないし３のいずれかに記載の靴紐保護カバー。
【発明の詳細な説明】
【技術分野】
【０００１】
本発明は、主として美容院や理髪店等において切断された髪の毛やその他のゴミが、靴表面の靴紐の編み上げ部分に付着したり、当該部分より内側へ入り込むことを防止することができる靴紐保護カバーに関する。
【背景技術】
【０００２】
従来より、美容院や理髪店等において散髪された髪の毛は頭部より床上に落下するが、それらは散髪者及び被散髪者の身体にも付着する。両当事者は身体を風呂敷状のものや貫頭衣等のカバー材で被覆し、髪の毛が衣服や身体に付着することを防止している。しかし、それらは靴上にも落下している。
【０００３】
靴には、靴紐を編み上げたシューレースタイプのものが多く、特に近年では立ち仕事を含め様々な仕事において軽さによる足への負担の軽減、装着感及びファッション性等の観点からスニーカー等の靴を利用する者が増加している。そしてそれらの靴は美容院や理髪店等でも多く使用されている。スニーカーの多くは上記のように靴紐を採用しており、その靴紐及び靴紐挿通孔には上記のように髪の毛やその他のゴミが付着或いは進入することになるが、それらを取り去るために刷毛状のもので払ったり、エアーを吹き付けて飛ばしたり、逆に吸引器により吸い取ったりしていた。
上記状況は、大工や石屋等の職人においても同様で、鋸屑や石粉等が靴紐に付着し、靴紐間にも入り込んでいた。
【０００４】
靴紐を採用した靴には、上記のような欠点があるが、主なる欠点としては、靴紐が解けて他の靴等により踏み付けてしまったり、靴紐が緩んで足への固定状態が緩んでしまうことであった。それらのことを防止するために、図５、６に示すように靴紐カバー材或いは足首固定部材をファスナー等の取着手段により靴紐の表面側を被い、靴紐のほどけや緩みをカバーしていた。
【特許文献１】特開平９−５６４０２号公報、実用新案登録第３０６１６９１号公報
【発明の開示】
【発明が解決しようとする課題】
【０００５】
上記のように、従来のカバー材は、髪の毛、鋸屑や石粉等が靴紐間に入り込むことを防止したり、靴紐にそれらのものが付着することを防止するものでなかった。従って、該カバー材は靴から着脱自在としたものではなく、予め靴と一体化されているため、不必要な場合に外すことができず、且つ、当該部分のみを交換することもできなかった。
また、上記カバー材の付いた靴は、雨水等が侵入することを防止するためや足甲を保護するためのもので、外出用の靴の一部及びスポーツ用の靴の一部に採用されているのみであり、靴の種類が特定されており、汎用性がなかった。
更に、上記カバー材の取着手段としては、図５、６に示すようにカバー材の裏面側にファスナー状のものを取着したものであり、靴本体側の取着手段もそれに対応するもので、それらのものは反覆性に欠点があり、取着手段としては適切なものではなかった。
【０００６】
本発明は、上記欠点に鑑み、髪の毛、鋸屑や石粉等が靴紐に付着したり、靴紐間に入り込むことを防止すること、また、必要時にのみ靴紐のカバーができ、その装着及び交換を簡単に行うことが可能であること、且つ靴の大きさにより容易にその大きさに合ったカバー材を得ることができるものである。更に、軽量で屈曲性がよく歩行感に優れ、また、一足の靴で様々なカバー材を簡単に着脱自在に装着することができるので様々なパターンを楽しむことができ、ファッション性の高い、安価でオリジナルなカバー材を提供するものである。
【課題を解決するための手段】
【０００７】
本発明は、先端部を湾曲形成し全体が靴の甲にほぼ一致する形状を有し、該先端部に靴紐との取着手段を設け、付け根部にはその左右両端部に靴紐挿通孔を形成してなる靴紐保護カバーを特徴とする。
【０００８】
また、表裏面のいずれかに、表裏面方向に対して折れ曲がりのための薄肉部を形成した靴紐保護カバーを特徴とする。
【０００９】
更に、先端部にはその表裏面のいずれかに甲の大きさを選択する目印を表示し、該目印として切断線を表記又は切断溝を形成してなる靴紐保護カバーを特徴とする。
【００１０】
また、取着手段を先端部裏面側或いは先端部端縁に装着してなる靴紐保護カバーを特徴とする。
【００１１】
更に、先端部から付け根部にわたる裏面側に、複数個の引っ掛け部を形成し、該引っ掛け部には靴紐との取り付け位置に応じて取着手段を着脱自在に装着してなる靴紐保護カバーを特徴とする。
【発明の効果】
【００１２】
本発明に係る靴紐保護カバーは、先端部側及び付け根部側の両端部により靴の甲に形成した靴の紐に装着でき、且つ該靴紐の上面を被覆して、該靴紐上をカバーするので、当該箇所での髪の毛、鋸屑、石粉、その他のゴミ等が靴紐上に付着したり、靴紐間に進入することを防止することができる。
【００１３】
また、表面側或いは裏面側に薄肉部を形成したので、靴の上面の曲面に沿うことができると同時に、歩行時に生じる靴の表面の圧縮、引張に追随することが可能となった。
【００１４】
更に、靴の大きさや形状に応じて靴紐保護カバーの大きさを変えることを容易とするため、予めその先端部側に切断線の表記或いは凹凸溝を形成し、各種靴の大きさに合うように構成しているので、使用者はそれらの目印を参考にして容易に切断することが可能となった。
【００１５】
また、取着手段を靴紐に直接係止することになるので、その取着が簡単であると同時に、３点での支持により強固に装着することが可能となり、且つ靴側に装着のための特別な手段を設ける必要がない。
【００１６】
更に、裏面側に複数の引っ掛け部を形成しているので、靴の大きさや靴紐の位置に合わせて適宜箇所を選択することができ、最適な箇所で靴紐に係止することが可能となった。
【００１７】
また、靴紐保護カバーとして各種素材のものを選択することができ、その表面側や取着手段等に各種着色、文字や模様、シールやキャラクター品等を施すことができ、当該製品のファッション性や付加価値を高めることが可能となった。
【発明を実施するための最良の形態】
【００１８】
図１は本発明の靴紐保護カバーの斜視図を示し、該靴紐保護カバー１は、皮、発泡合成樹脂、ポリエステル、デニム、フェイクファー等の弾力性のある軽い材料或いはアルミニウム、銅板、鋼板等の薄くて軽い材料で製造し、その全体の形状は靴の甲にほぼ一致する形状とし、先端部を湾曲させたものを使用する。大きさは、少なくとも靴紐及びその編み上げ部分を被覆できる大きさとする。
また、靴には様々な大きさのものが存在するので、靴の大きさに適合できるように先端部２側には切断する大きさの目印となる切断線３を適数本形成する。
【００１９】
該切断線３としては、本体の表裏面のいずれかに凸状や凹状の連続線を形成したもの、凹凸状の破断線或いは着色線を形成し、使用者が該切断線３に沿って容易に切断できるようにしている。
また、該湾曲状先端部２と付け根部４間の表裏面側のいずれかには、靴の折り曲げに対応するための各種形状の薄肉部を形成する。薄肉部としては平行状或いは湾曲状の長手方向に溝を設けたもの、該溝間に跨って溝を形成したもの等がある。
【００２０】
図１に示すものは、各々の側縁部５，６に沿って薄肉部としてほぼ平行状の溝７，８・・・を適数本形成している。
該溝７，８は、靴紐保護カバー１本体の長手方向中心部と該側縁部５，６とのほぼ中間位置となる箇所に形成し、該靴紐保護カバー１を靴の甲位置に装着したとき、該甲の左右の湾曲面の曲率に適応できるように曲げ易くするために形成している。
【００２１】
また、上記溝７，８間には該靴紐保護カバー１の短手方向となる両者間に跨って該溝７，８と同様の溝９・・・を適数本形成する。該溝９・・・は、靴の長手方向における表裏面側への曲げに適合できるように形成している。
上記靴紐保護カバー１を靴の甲部分に装着して使用した場合、該溝７，８及び溝９により靴の形状及び靴の変形に対して適合でき、本体の他の箇所に皺が生じることがなく、装着感に優れている。
【００２２】
上記付け根部４側の左右端部には、靴紐挿通孔１０、１１を形成し、靴紐として編み上げた紐端部を裏面側から靴紐挿通孔１０，１１へ挿通し、それらを表面側で結着することになる。これにより付け根部４側が靴上に装着される。
【００２３】
他方、先端部２側には先端部取着手段を取着し、該取着手段を靴紐に係着させることにより先端部２側が靴上に装着され、上記付け根部４側と合わせて靴上に靴紐保護カバー１が３点支持により固定されることになる。
靴紐保持カバー１の靴上への装着順序は、先端部２側及び、付け根部４側のいずれが先でもよい。
【実施例１】
【００２４】
図２に示す先端部取着手段は、靴紐保護カバー１の裏面側にバネクリップ１２を取着している。該バネクリップ１２は、先端部２側を裏面側に固定し、付け根部４側を靴紐を把持するバネ体による開閉手段１４としている。
【００２５】
固定側となる軸１３側と付け根部１５側とを指で押さえ、バネクリップ１２のほぼ中央部を表面側から押圧することにより、付け根部１５側の開閉手段１４は開口することになる。該開口状態で靴紐に引っ掛け、軸１３側を押圧するか靴紐保護カバー１を丸めるようにして先端部２側を押すこと等により、該開閉手段１４は閉鎖する方向に作動し、引っ掛けた靴紐を強固に把持することになる。
【００２６】
上記靴紐保護カバー１の表面側には各種着色、凹凸模様、文字や装飾を施したり、シールやキャラクター品を貼着することができる。
【実施例２】
【００２７】
図３（ａ）に示す先端部取着手段は、先端部２側の縁より表・裏面に跨るようにして板バネ状のクリップ１６を装着している。該板バネとしては、図３（ｂ）、（ｃ）、（ｄ）等に示すように、帯状のもの、円形・楕円形状のもの、矩形形状のもの、六角・八角形状のもの、ハート型・三菱型・ダイヤ型形状のもの等様々な形状のものが考えられる。該クリップ１６の裏面側を適宜個所に位置する靴紐に挟み込んで係止させることになる。
【００２８】
この実施例においても靴紐保護カバーの表面側に各種着色、文字や模様を設けたり、シールやキャラクター品が貼着できることは言うまでもない。
【００２９】
該クリップ１６の表面側には、各種着色、文字や模様等を施すことができ、会社等の広告手段としても有効である。
【実施例３】
【００３０】
図４に示す先端部取着手段は、当該取着位置を靴の大きさ、靴紐の位置等によって変えることを可能としたものである。裏面に、付け根部４の側縁部にほぼ平行となる状態で小間隔を有して引っ掛け部１７、１７´・・・を適数個形成する。該引っ掛け部１７、１７´・・・は細帯状のもので、その両端部のみを靴紐保持カバー１の裏面側に固定し、その間は浮いた状態のループ状としている。従って、上記実施例１，２のようなバネクリップや各種形状の板バネ状の取着手段１８を、図４の点線で示すように、軸部或いは連結部側となる基部側を引っ掛け部１７、１７´・・・に係止し、先端側の開閉手段１９が自由に開閉できるように取り付ける。上記によって取り付けられた引っ掛け部１７、１７´・・・の開閉手段１９を靴紐に引っ掛けることにより靴紐保護カバーを靴上に装着することを可能としている。
【００３１】
引っ掛け部の形状としては、ポケット状のもの、ループ状の紐、鉤状のもの等様々なものが考えられる。取着手段１８を引っ掛けることのできる形状のものが採用される。
また、上記取着手段としては、バネクリップや板バネ状のもの以外にも、各種テープ、ホック、ファスナー等のものも考えられる。
【図面の簡単な説明】
【００３２】
【図１（ａ）】本発明の靴紐保護カバーの斜視図。
【図１（ｂ）】他の実施例の靴紐保護カバーの斜視図。
【図２】本発明の靴紐保護カバーの裏面図。
【図３（ａ）】本発明の靴紐保護カバーの他の実施例の斜視図。
【図３（ｂ）】取着手段の一実施例の斜視図。
【図３（ｃ）】同取着手段の一実施例の斜視図。
【図３（ｄ）】同取着手段の一実施例の斜視図。
【図４】本発明の靴紐保護カバーの他の実施例の裏面図。
【図５】従来の靴カバーの斜視図。
【図６】同靴カバーの他の実施例の斜視図。
【符号の説明】
【００３３】
１．        靴紐保護カバー
２．        先端部
３．        切断線
４．        付け根部
５，６．    側縁部
７，８．    溝
９．        溝
１０，１１．靴紐挿通孔
１２．      クリップ
１３．      軸
１４．      開閉手段
１５．      付け根部
１６．      クリップ
１７．      引っ掛け部
１８．      取着手段
１９．      開閉手段
【図１】
2005040524.tif 000003
【図２】
2005040524.tif 000004
【図３】
2005040524.tif 000005
【図４】
2005040524.tif 000006
【図５】
2005040524.tif 000007
【図６】
2005040524.tif 000008